(57)【要約】  本願はＳＰＳの処理方法、通信機器及び記憶媒体を開示し、第１通信機器に適用される前記ＳＰＳの処理方法は、１つの制御チャネルの制御情報を監視し、前記制御情報は複数のキャリアがＳＰＳ構成された通信リソースであるＳＰＳリソースのアクティベート又は解放を行うことを示すことと、少なくとも１つのデータチャネルにおいて応答情報を送信し、前記応答情報は１つ又は複数のキャリアのＳＰＳリソースのアクティベート又は解放に対する応答を含むことと、を含む。
2020533830.tif 000002
【特許請求の範囲】
【請求項１】
準静的スケジューリング（ＳＰＳ）の処理方法であって、
第１通信機器に適用され、
１つの制御チャネルの制御情報を監視し、前記制御情報は複数のキャリアにおける構成された準静的通信リソースであるＳＰＳリソースのアクティベート又は解放を示すことと、
少なくとも１つのデータチャネルにおいて応答情報を送信し、前記応答情報は１つ又は複数のＳＰＳリソースのアクティベート又は解放に対する応答を含むことと、を含む準静的スケジューリング（ＳＰＳ）の処理方法。
【請求項２】
１つの制御チャネルの制御情報を監視することは、
前記制御情報を取得するために、前記複数のキャリアのうちの１つのキャリアの制御チャネルを監視することを含み、前記制御チャネルは物理ダウンリンク制御チャネル又は物理サイドリンク制御チャネルを含み、
前記少なくとも１つのデータチャネルにおいて応答情報を送信することは、
前記複数のキャリアのうちの１つのキャリアを利用して前記第１応答情報を送信し、前記第１応答情報は前記複数のキャリアのＳＰＳリソースのアクティベート又は解放に対する応答を含み、
又は、
前記複数のキャリアのうちの各キャリアを利用して前記第２応答情報をそれぞれ送信し、１つのキャリアにおける前記第２応答情報は、前記第２応答情報が含まれるキャリアのＳＰＳリソースのアクティベート又は解放に対する応答を含むことを含むことを特徴とする請求項１に記載の方法。
【請求項３】
前記制御チャネルが物理ダウンリンク制御チャネルである場合、前記制御情報におけるハイブリッド自動再送要求（ＨＡＲＱ）の新データ指示子（ＮＤＩ）フィールドには、ＳＰＳリソースのアクティベート又は解放を行う命令が含まれる請求項１に記載の方法。
【請求項４】
前記方法は、更に、
前記複数のキャリアのＳＰＳリソースの構成情報を受信し、前記構成情報は少なくとも前記複数に対してＳＰＳリソーススケジューリングする統一ＳＰＳスケジューリング識別子を含むことと、
前記統一ＳＰＳスケジューリング識別子を利用して監視された前記制御情報をブラインド検出することと、を含むことを特徴とする請求項１、２又は３に記載の方法。
【請求項５】
前記制御情報は、複数のキャリアのＳＰＳリソースの統一されたアクティベート又は統一された解放を示す少なくとも１つの指示ビットを含むことを特徴とする請求項４に記載の方法。
【請求項６】
１つの制御チャネルの制御情報を監視することは、
前記複数のキャリアのキャリア識別子が含まれる１つの制御チャネルの制御情報を監視し、
又は、
前記複数のキャリアに対応するビットマップが含まれる１つの制御チャネルの制御情報を監視することを含むことを特徴とする請求項１、２又は３に記載の方法。
【請求項７】
１つ又は複数のデータチャネルにおいて応答情報を送信することは、
前記複数のキャリアのうちの少なくとも１つのキャリアにおいて、前記応答情報が含まれる負荷ｐａｙｌｏａｄを含む媒体アクセス制御（ＭＡＣ）制御ユニット（ＣＥ）を送信することを含む請求項１、２又は３に記載の方法。
【請求項８】
前記複数のキャリアのうちの少なくとも１つのキャリアにおいて媒体アクセス制御（ＭＡＣ）制御ユニット（ＣＥ）を送信することは、
前記複数のキャリアのうちの１つのキャリアにおいて、負荷に第１応答情報が含まれるＭＡＣ  ＣＥを送信し、前記第１応答情報が前記複数のキャリアのＳＰＳリソースのアクティベート又は解放に対する応答を含むこと、
又は、
前記複数のキャリアのうちの各前記キャリアにおいて、負荷に第２応答情報が含まれるＭＡＣ  ＣＥをそれぞれ送信し、前記第２応答情報は、１つのキャリアにおける前記第２応答情報が、前記第２応答情報が含まれるキャリアのＳＰＳリソースのアクティベート又は解放に対する応答を含むことを含むこと、を含む請求項７に記載の方法。
【請求項９】
前記複数のキャリアのうちの１つのキャリアにおいて、負荷に第１応答情報が含まれるＭＡＣ  ＣＥを送信することは、
前記複数のキャリアのうちの１つのキャリアにおいて、負荷に前記複数のキャリアのキャリア識別子が含まれるＭＡＣ  ＣＥを送信すること、
前記複数のキャリアのうちの１つのキャリアにおいて、負荷に前記複数のキャリアにそれぞれ対応するビットマップが含まれるＭＡＣ  ＣＥを送信すること、のうちの少なくとも１つを含むことを特徴とする請求項８に記載の方法。
【請求項１０】
準静的スケジューリング（ＳＰＳ）の処理方法であって、
第２通信機器に適用され、
１つの制御チャネルにおいて制御情報を送信し、前記制御情報は複数のキャリアが構成された準静的通信リソースであるＳＰＳリソースのアクティベート又は解放を行うことを示すことと、
少なくとも１つのデータチャネルにおいて、１つ又は複数のキャリアのＳＰＳのアクティベート又は解放に対する応答が含まれる応答情報を受信することと、を含む準静的スケジューリング（ＳＰＳ）の処理方法。
【請求項１１】
１つの制御チャネルにおいて制御情報を送信することは、
１つのキャリアの制御チャネルを利用して制御情報を送信することを含み、前記制御チャネルは物理ダウンリンク制御チャネル又は物理サイドリンク制御チャネルを含み、
前記少なくとも１つのデータチャネルにおいて応答情報を受信することは、
前記複数のキャリアのうちの１つのキャリアにおいて、前記複数のキャリアのＳＰＳリソースのアクティベート又は解放に対する応答を含む第１応答情報を受信し、
又は、
前記複数のキャリアのうちの各キャリアにおいて、１つのキャリアのＳＰＳリソースのアクティベート又は解放に対する応答を含む第２応答情報を受信することを含むことを特徴とする請求項１０に記載の方法。
【請求項１２】
前記制御チャネルが物理ダウンリンク制御チャネルである場合、前記制御情報のハイブリッド自動再送要求（ＨＡＲＱ）の新データ指示子（ＮＤＩ）フィールドには、ＳＰＳリソースのアクティベート又は解放を行う命令が含まれる請求項１０又は１１に記載の方法。
【請求項１３】
前記方法は、更に、
前記複数のキャリアのＳＰＳリソースの構成情報を送信することを含み、前記構成情報は、少なくとも前記複数のキャリアに対してＳＰＳリソースの同一アクティベート又は解放を行う、第１通信機器が監視された前記制御情報をブラインド検出するための統一ＳＰＳスケジューリング識別子を含むことを特徴とする請求項１１又は１２に記載の方法。
【請求項１４】
前記制御情報は、複数のキャリアのＳＰＳリソースの統一されたアクティベート又は統一された解放を示す少なくとも１つの指示ビットを含む請求項１３に記載の方法。
【請求項１５】
前記１つの制御チャネルにおいて制御情報を送信することは、
前記複数のキャリアのうちの１つのキャリアの制御チャネルにおいて、前記複数のキャリアのキャリア識別子が含まれる制御情報を送信し、
又は
前記複数のキャリアのうちの１つのキャリアの制御チャネルにおいて、前記複数のキャリアに対応するビットマップが含まれる制御情報を送信することを含むことを特徴とする請求項１０、１１又は１２に記載の方法。
【請求項１６】
前記応答情報を受信することは、
前記複数のキャリアのうちの少なくとも１つのキャリアにおいて、負荷ｐａｙｌｏａｄに前記応答情報が含まれる媒体アクセス制御（ＭＡＣ）制御ユニット（ＣＥ）を受信することを含む請求項１１、１２又は１３に記載の方法。
【請求項１７】
前記複数のキャリアのうちの少なくとも１つのキャリアにおいて、負荷ｐａｙｌｏａｄに前記応答情報が含まれる媒体アクセス制御（ＭＡＣ）制御ユニット（ＣＥ）を受信することは、
前記複数のキャリアのうちの１つのキャリアにおいて、負荷に前記複数のキャリアのキャリア識別子が含まれるＭＡＣ  ＣＥを受信し、
又は、
前記複数のキャリアのうちの１つのキャリアにおいて、負荷に前記複数のキャリアに対応するビットマップが含まれるＭＡＣ  ＣＥを受信することを含むことを特徴とする請求項１６に記載の方法。
【請求項１８】
通信機器であって、
前記通信機器が第１通信機器であり、
１つの制御チャネルの制御情報を監視し、前記制御情報は複数のキャリアにおける構成された準静的通信リソースであるＳＰＳリソースのアクティベート又は解放を示すように構成される監視ユニットと、
少なくとも１つのデータチャネルにおいて応答情報を送信し、前記応答情報は１つ又は複数のＳＰＳリソースのアクティベート又は解放に対する応答を含むように構成される第１送信ユニットと、を備える通信機器。
【請求項１９】
前記監視ユニットは、前記制御情報を取得するために前記複数のキャリアのうちの１つのキャリアの制御チャネルを監視し、前記制御チャネルが物理ダウンリンク制御チャネル又は物理サイドリンク制御チャネルを含むように構成され、
前記第１送信ユニットは、前記複数のキャリアのうちの１つのキャリアを利用して前記第１応答情報を送信し、前記第１応答情報が前記複数のキャリアのＳＰＳリソースのアクティベート又は解放に対する応答を含み、又は、前記複数のキャリアのうちの各キャリアを利用して前記第２応答情報をそれぞれ送信し、１つのキャリアにおける前記第２応答情報が、前記第２応答情報が含まれるキャリアのＳＰＳリソースのアクティベート又は解放に対する応答を含むように構成されることを特徴とする請求項１８に記載の通信機器。
【請求項２０】
前記通信機器は、更に、
前記複数のキャリアのＳＰＳリソースの構成情報を受信し、前記構成情報が少なくとも前記複数に対してＳＰＳリソーススケジューリングする統一ＳＰＳスケジューリング識別子を含むように構成される第１受信ユニットと、
前記統一ＳＰＳスケジューリング識別子を利用して監視された前記制御情報をブラインド検出するように構成される前記監視ユニットと、を備えることを特徴とする請求項２０に記載の通信機器。
【請求項２１】
前記第１送信ユニットは、前記複数のキャリアのうちの少なくとも１つのキャリアにおいて、前記応答情報が含まれる負荷ｐａｙｌｏａｄを含む媒体アクセス制御（ＭＡＣ）制御ユニット（ＣＥ）を送信するように構成される請求項１８〜２０のいずれか１項に記載の通信機器。
【請求項２２】
通信機器であって、
前記通信機器が第２通信機器であり、
１つの制御チャネルにおいて制御情報を送信し、前記制御情報は複数のキャリアが構成された準静的通信リソースであるＳＰＳリソースのアクティベート又は解放を行うことを示すように構成される第２送信ユニットと、
少なくとも１つのキャリアにおいて、１つ又は複数のキャリアのＳＰＳのアクティベート又は解放に対する応答が含まれる応答情報を受信するように構成される第２受信ユニットと、を備える通信機器。
【請求項２３】
前記第２送信ユニットは、１つのキャリアの制御チャネルを利用して制御情報を送信し、前記制御チャネルが物理ダウンリンク制御チャネル又は物理サイドリンク制御チャネルを含むように構成され、
前記第２受信ユニットは、前記複数のキャリアのうちの１つのキャリアにおいて、前記複数のキャリアのＳＰＳリソースのアクティベート又は解放に対する応答を含む第１応答情報を受信し、又は、前記複数のキャリアのうちの各キャリアにおいて、１つのキャリアのＳＰＳリソースのアクティベート又は解放に対する応答を含む第２応答情報を受信するように構成される請求項２２に記載の通信機器。
【請求項２４】
前記第２送信ユニットは、更に、前記複数のキャリアのＳＰＳリソースの構成情報を送信するように構成され、前記構成情報は、少なくとも前記複数のキャリアに対してＳＰＳリソースの同一アクティベート又は解放を行う、第１通信機器が監視された前記制御情報をブラインド検出するための統一ＳＰＳスケジューリング識別子を含むことを特徴とする請求項２１に記載の通信機器。
【請求項２５】
前記第２受信ユニットは、少なくとも１つのキャリアにおいて負荷に前記応答情報が含まれる媒体アクセス制御（ＭＡＣ）制御ユニット（ＣＥ）を受信するように構成されることを特徴とする請求項２２、２３又は２４に記載の通信機器。
【請求項２６】
通信機器であって、
送受信機、メモリ、プロセッサ及び前記メモリに記憶されて前記プロセッサにより実行されるコンピュータプログラムを備え、
前記プロセッサは前記送受信機及び前記メモリにそれぞれ接続され、前記コンピュータプログラムを実行することにより、前記送受信機が情報を送受信し及び前記メモリが情報を記憶するように制御して、請求項１〜９のいずれか１項に記載の準静的スケジューリング（ＳＰＳ）の処理方法を実現し、又は、請求項１０〜１７のいずれか１項に記載の準静的スケジューリング（ＳＰＳ）の処理方法を実現するように構成される通信機器。
【請求項２７】
コンピュータ記憶媒体であって、
コンピュータプログラムが記憶され、前記コンピュータプログラムがプロセッサにより実行された後、請求項１〜９のいずれか１項に記載の準静的スケジューリング（ＳＰＳ）の処理方法を実現し、又は、請求項１０〜１７のいずれか１項に記載の準静的スケジューリング（ＳＰＳ）の処理方法を実現することができるコンピュータ記憶媒体。
【発明の詳細な説明】
【技術分野】
【０００１】
本願は無線通信分野に関し、特に準静的スケジューリング（ＳＰＳ：Ｓｅｍｉ  Ｐｅｒｓｉｓｔｅｎｔ  Ｓｃｈｅｄｕｌｉｎｇ）の処理方法、通信機器及び記憶媒体に関する。
【背景技術】
【０００２】
キャリアアグリゲーションシーンにおいて、１つのユーザー装置（ＵＥ：Ｕｓｅｒ  Ｅｑｕｉｐｍｅｎｔ）が複数のキャリアを使用してデータ伝送を行う可能性がある。ＵＥはこれらのキャリアを利用して様々なサービスデータの伝送を行うことができ、帯域幅を増加させて伝送速度を向上させることができる。しかしながら、ＵＥが複数のキャリアを同時に使用すると、ＵＥが多くの制御シグナリングを受信し、シグナリングオーバーヘッドが大きくなる一方、ＵＥがシグナリングを受信・復調するために大量の電力を消費し、ＵＥの電力オーバーヘッドが大きくなるという問題が生じてしまう。
【発明の概要】
【発明が解決しようとする課題】
【０００３】
これに鑑みて、本願の実施例は少なくともシグナリングオーバーヘッドが大きく及び／又は電力オーバーヘッドが大きいという問題を部分的に解決するＳＰＳの処理方法、通信機器及び記憶媒体を提供することを望んでいる。
【課題を解決するための手段】
【０００４】
本願の実施例の技術案は以下のように実現される。
【０００５】
第１態様では、本願の実施例は準静的スケジューリング（ＳＰＳ）の処理方法を提供し、第１通信機器に適用され、
１つの制御チャネルの制御情報を監視し、前記制御情報は複数のキャリアにおける構成された準静的通信リソースであるＳＰＳリソースのアクティベート又は解放を示すことと、
少なくとも１つのデータチャネルにおいて応答情報を送信し、前記応答情報は１つ又は複数のＳＰＳリソースのアクティベート又は解放に対する応答を含むことと、を含む。
【０００６】
第２態様では、本願の実施例は更に準静的スケジューリング（ＳＰＳ）の処理方法を提供し、第２通信機器に適用され、
１つの制御チャネルにおいて制御情報を送信し、前記制御情報は複数のキャリアが構成された準静的通信リソースであるＳＰＳリソースのアクティベート又は解放を行うことを示すことと、
少なくとも１つのデータチャネルにおいて、１つ又は複数のキャリアのＳＰＳのアクティベート又は解放に対する応答が含まれる応答情報を受信することと、を含む。
【０００７】
第３態様では、本願の実施例は通信機器を提供し、前記通信機器が第１通信機器であり、
１つの制御チャネルの制御情報を監視し、前記制御情報は複数のキャリアにおける構成された準静的通信リソースであるＳＰＳリソースのアクティベート又は解放を示すように構成される監視ユニットと、
少なくとも１つのデータチャネルにおいて応答情報を送信し、前記応答情報は１つ又は複数のＳＰＳリソースのアクティベート又は解放に対する応答を含むように構成される第１送信ユニットと、を備える。
【０００８】
第４態様では、本願の実施例は通信機器を提供し、前記通信機器が第２通信機器であり、
１つの制御チャネルにおいて制御情報を送信し、前記制御情報は複数のキャリアが構成された準静的通信リソースであるＳＰＳリソースのアクティベート又は解放を行うことを示すように構成される第２送信ユニットと、
少なくとも１つのキャリアにおいて、１つ又は複数のキャリアのＳＰＳのアクティベート又は解放に対する応答が含まれる応答情報を受信するように構成される第２受信ユニットと、を備える。
【０００９】
第５態様では、本願の実施例は通信機器を提供し、送受信機、メモリ、プロセッサ及び前記メモリに記憶されて前記プロセッサにより実行されるコンピュータプログラムを備え、
前記プロセッサは前記送受信機及び前記メモリにそれぞれ接続され、前記コンピュータプログラムを実行することにより、前記送受信機が情報を送受信し及び前記メモリが情報を記憶するように制御して、上記１つ又は複数の態様に係るＳＰＳの処理方法を実現するように構成される。
【００１０】
本願の実施例は更にコンピュータ記憶媒体を提供し、前記コンピュータ記憶媒体にコンピュータプログラムが記憶され、前記コンピュータプログラムがプロセッサにより実行された後、上記１つ又は複数の態様に係るＳＰＳの処理方法を実現することができる。
【００１１】
本願の実施例に係るＳＰＳの処理方法、通信機器及び記憶媒体において、
第１態様では、複数のキャリアの通信リソースを同時に利用できる第１通信機器に対して、ＳＰＳを使用して通信スケジューリングを行うことになり、動的スケジューリングに比べて、スケジューリング回数が少なく、情報をスケジューリングするオーバーヘッドが小さく、スケジューリングを監視する電力消費が小さい。
第２態様では、第１通信機器が各キャリアの制御チャネルにおいて複数の制御チャネルを監視せずに、１つの制御チャネルの１つの制御情報を利用して、複数のキャリアのＳＰＳリソースのアクティベート又は解放を同時に示すことになり、更にシグナリングオーバーヘッドを減少させ、且つ各キャリアの物理制御を独立して監視するために消費した電力を減少させる。
【発明の効果】
【００１２】
従って、本実施例に係る技術案は複数の面でシグナリングオーバーヘッド及び電力オーバーヘッドを減少させ、シグナリングオーバーヘッドが小さく、電力消費が少なく及び待機時間が長いという特徴を有する。
【図面の簡単な説明】
【００１３】
【図１】図１は本願の実施例に係る第１種類のＳＰＳの処理方法のフローチャート模式図である。
【図２】図２は本願の実施例に係る制御情報の模式図である。
【図３】図３は本願の実施例に係る他の制御情報の模式図である。
【図４】図４は本願の実施例に係る媒体アクセス制御（ＭＡＣ）制御ユニット（ＣＥ）の模式図である。
【図５】図５は本願の実施例に係る第２種類のＳＰＳの処理方法のフローチャート模式図である。
【図６】図６は本願の実施例に係る第３種類のＳＰＳの処理方法のフローチャート模式図である。
【図７】図７は本願の実施例に係る第１通信機器の構造模式図である。
【図８】図８は本願の実施例に係る第２通信機器の構造模式図である。
【図９】図９は本願の実施例に係る通信機器の構造模式図である。
【発明を実施するための形態】
【００１４】
以下、図面を参照しながら本願の好適な実施例を詳しく説明し、以下に説明される好適な実施例は本願を説明、解釈するためのものであり、本願を制限するためのものではないと理解すべきである。
【００１５】
本願を更に詳しく説明する前に、本願の実施例に関わる名詞及び用語を説明し、本願の実施例に関わる名詞及び用語は以下の解釈に適用される。
【００１６】
ＳＰＳ
前記ＳＰＳは通信リソースのスケジューリング方式である。ＳＰＳの構成情報はＳＰＳに関連する関連パラメータを含んでもよく、前記ＳＰＳの構成情報はＳＰＳスケジューリング周期、ＳＰＳに対応するＳＰＳリソースのリソース粒度及び制御情報をブラインド検出するための準静的スケジューリング無線ネットワーク一時識別子（ＳＰＳ−ＲＮＴＩ）等のスケジューリングパラメータを含んでもよい。
【００１７】
前記リソース粒度は周波数領域リソース粒度及び時間領域リソース粒度であってもよい。前記周波数領域リソース粒度はＳＰＳに対応するＳＰＳデータ伝送を行う際に使用した周波数領域の最小リソース、例えば周波数領域の帯域幅、周波数領域のキャリア個数を示すことに用いられる。前記時間領域リソース粒度はＳＰＳに対応するＳＰＳデータ伝送を行う際に使用した時間領域の最小リソースを示すことに用いられてもよく、前記時間領域リソース粒度が１つのサブフレーム、１つのスロット又は１つの伝送シンボル等であってもよい。
【００１８】
前記ＳＰＳはより長い時間範囲内に前記ＳＰＳスケジューリング周期を利用して周期的スケジューリングを行う方式であってもよい。例えば、ＳＰＳのスケジューリング過程において、無線リソースを特定のユーザー装置に周期的に割り当てるために、基地局が高位層シグナリングによってユーザー装置に対してＳＰＳ構成を行って、物理層の制御情報によってアクティベートすることを許容し、これによって、ＳＰＳが１回スケジューリングすると、複数回伝送できるという特徴を有する。このように、１回のスケジューリングによって複数回の伝送指示を実現し、伝送するたびに１回スケジューリングする動的スケジューリングに比べて、スケジューリング回数を減少させてスケジューリング命令のオーバーヘッドを節約し、静的スケジューリングに比べて、通信リソースのスケジューリング柔軟性を向上させることができる。
【００１９】
ＳＰＳリソース
前記ＳＰＳリソースは無線リソース制御（ＲＲＣ：Ｒａｄｉｏ  Ｒｅｓｏｕｒｃｅ  Ｃｏｎｔｒｏｌ）シグナリング等の高位層シグナリングによって予め構成された準静的通信リソースであり、周波数領域リソース及び時間領域リソースを含んでもよい。前記周波数領域リソースが周波数帯域、キャリア、無線リソース（ＲＢ：Ｒｅｓｏｕｒｃｅ  Ｂｌｏｃｋ）を含んでもよく、前記時間領域リソースが伝送サブフレーム、伝送スロット、マイクロスロット又は伝送シンボル等を含んでもよい。
【００２０】
１つのＵＥ（端末とも称される）が複数のセルに接続される場合、該ＵＥに接続されるセルが少なくともプライマリセル及びセカンダリセルに分けられてもよい。
【００２１】
プライマリセル
前記プライマリセルは更にプライマリサービスセル（Ｐｃｅｌｌ：Ｐｒｉｍａｒｙ  Ｃｅｌｌ）と称され、ＵＥに無線通信を提供する主周波数帯域のセルであってもよい。
【００２２】
セカンダリセル
前記セカンダリセルは更にセカンダリサービスセルと称されてもよく、ＵＥに無線通信を提供する補助周波数帯域のセルであってもよい。
【００２３】
前記セカンダリセルが更に重要性、信号命令及び補助周波数帯域の使用状況等によって第１セカンダリセル（Ｓｐｃｅｌｌ：Ｓｅｃｏｎｄ  ｐｒｉｍａｒｙ  Ｃｅｌｌ）及び前記第１セカンダリセル以外の第２セカンダリセル（Ｓｃｅｌｌ：Ｓｅｃｏｎｄ  Ｃｅｌｌ）に分けられてもよい。
【００２４】
一般的に異なるセルに使用される無線通信のためのキャリアが異なる。
【００２５】
キャリア
前記キャリアは更にキャリア周波数と称されてもよく、特定幅の無線スペクトルであってもよく、前記キャリアが更に複数のサブキャリアに分けられてもよい。
【００２６】
制御情報
前記制御情報は制御チャネルにより伝送される制御シグナリング等の情報であってもよく、前記制御シグナリングは通信リソースのスケジューリング又は制御プレーンのシグナリング情報の伝送に用いられる。
【００２７】
前記制御チャネルは、
基地局とＵＥとが通信する制御チャネルであってもよい物理ダウンリンク制御チャネルと、
サイドリンクを利用して通信するＵＥ同士が通信する制御チャネルであってもよい物理サイドリンク制御チャネルと、を含んでもよい。
【００２８】
サイドリンクを利用して通信する通信技術は車両とモノの通信（Ｖ２Ｘ：Ｖｅｈｉｃｌｅ  ｔｏ  Ｅｖｅｒｙｔｈｉｎｇ）を含んでもよい。前記Ｖ２Ｘは更に車車間（Ｖ２Ｖ：Ｖｅｈｉｃｌｅ  ｔｏ  Ｖｅｈｉｃｌｅ）通信、車歩行者間（Ｖ２Ｐ：Ｖｅｈｉｃｌｅ  ｔｏ  Ｐｅｒｓｏｎ）通信及び路車間（Ｖ２Ｉ：Ｖｅｈｉｃｌｅ  ｔｏ  Ｉｎｆｒａｓｔｒｕｃｔｕｒｅ）通信を含んでもよい。
【００２９】
前記Ｖ２Ｘは複数の通信モード、例えば通信モード２及び通信モード３を含む。
【００３０】
Ｖ２Ｘ通信モード２
前記Ｖ２Ｘの通信モード２において、車載端末間の通信リソースが基地局により割り当てられるものであり、車載端末が基地局により割り当てたリソースに基づいてサイドリンクにおいてデータの送信を行い、基地局が端末に１回の伝送のための通信リソースを割り当ててもよいし、端末に準静的伝送のための通信リソースを割り当ててもよい。
【００３１】
Ｖ２Ｘ通信モード３
前記Ｖ２Ｘの通信モード３において、車載端末がリスニング及び予約の伝送方式を用いる。車載端末がリソースプールにおいてリスニング方式で利用可能な伝送リソース集合を取得し、端末が該集合から１つの通信リソースをランダムに選択してデータ伝送を行う。テレマティクスシステムにおけるサービスが周期的特徴を有するため、端末が常に半永続的スケジューリング方式で半永続的伝送を行い、すなわち、端末が１つの通信リソースを選択した後、複数の伝送周期において該通信リソースを持続的に使用することになり、それによりリソース再選択及びリソース衝突確率を低下させる。端末が今回伝送する制御チャネル情報に次回の伝送リソース情報を搬送・予約し、それにより他の端末は該端末から送信された制御チャネル情報を検出することによりこのリソースが該端末に予約・使用されたかどうかを判断し、リソース衝突確率を低下させるという目的を実現する。
【００３２】
データチャネルは通信中のサービスデータ等の伝送のためのチャネルである。
【００３３】
前記データチャネルは基地局とＵＥとの通信中の物理アップリンク共有チャネル又は物理ダウンリンク共有チャネルを含んでもよい。
【００３４】
前記データチャネルは更にＶ２Ｘ通信中の物理サイドリンク共有チャネルを含んでもよい。
【００３５】
上記制御情報はデータチャネルの通信リソースをスケジューリングし及びデータチャネルのデータ伝送を制御することに用いられてもよい。
【００３６】
図１に示すように、本実施例は準静的スケジューリング（ＳＰＳ）の処理方法を提供し、第１通信機器に適用され、
１つの制御チャネルの制御情報を監視し、前記制御情報は複数のキャリアがＳＰＳ構成された通信リソースであるＳＰＳリソースのアクティベート又は解放を行うことを示すステップＳ１１０と、
少なくとも１つのデータチャネルにおいて応答情報を送信し、前記応答情報は１つ又は複数のキャリアのＳＰＳリソースのアクティベート又は解放に対する応答を含むステップＳ１２０と、を含む。
【００３７】
前記第１通信機器がＵＥであってもよい。ステップＳ１１０では、ＵＥが１つの制御チャネルにおける制御情報のみを監視する。ここで、制御情報が基地局からＵＥまでのダウンリンク制御情報であってもよいし、ＵＥ間の物理サイドリンク制御チャネル情報であってもよい。
【００３８】
本実施例では、１つの制御チャネルにおける制御情報を監視することにより、該制御情報からＳＰＳリソースのアクティベート命令又は解放命令を抽出することができる。前記アクティベート命令はＳＰＳでスケジューリングした通信リソースをアクティベートすることに用いられ、ＳＰＳリソースを利用してＳＰＳ周期に基づく半永続的スケジューリングデータの伝送を行う。前記解放命令はＳＰＳでスケジューリングした通信リソースを解放することに用いられ、他のスケジューリング方式で占有するために、対応するＳＰＳリソースの占有を解放する。
【００３９】
このように、第１態様では、第１通信機器はまずＳＰＳでスケジューリングし、動的スケジューリングに比べて、スケジューリングによるシグナリングオーバーヘッドを減少させ、特にマルチキャリアを使用するＵＥにとって、ＵＥがマルチキャリアにおける頻繁に動的にスケジューリングしたスケジューリング情報を監視する際に消費した電力を減少させることができ、それによりＵＥの電力消費を削減し、ＵＥの待機時間を延長する。
【００４０】
第２態様では、第１通信機器は１つの制御チャネルにおける監視によって複数のキャリアにおけるＳＰＳリソースのアクティベート又は解放命令の受信を実現することができ、複数のキャリアにそれぞれ対応する制御チャネルにおいてそれぞれのＳＰＳリソースのアクティベート又は解放をそれぞれ受信することに比べて、制御情報の伝送数を減少させ、従って、シグナリング数及びシグナリングオーバーヘッドを減少させる。且つ、第１通信機器は各キャリアにおいて監視する必要がなく、従って、監視するキャリアを減少させ、監視のために消費した電力を減少させ、更に消費電力を減少させる。
【００４１】
本実施例では、前記制御情報を送信する制御チャネルに対応するキャリアと前記応答情報を送信するデータチャネルに対応するキャリアとは同じキャリアであってもよいし、異なるキャリアであってもよい。ここで、制御情報及び応用情報を送信するためのチャネルに対応するキャリアは、ＳＰＳリソースのアクティベート又は解放を行う複数のキャリアのうちの１つであってもよいし、前記複数のキャリア以外のキャリアであってもよい。
【００４２】
例えば、現在、前記ＵＥが複数のセルに接続されており、異なるセルに構成されたキャリアが異なり、前記複数のセルがプライマリセル、第１セカンダリセル及び少なくとも１つの第２セカンダリセルを含んでもよい。このように、ステップＳ１１０では、前記第１通信機器がプライマリセル、第１セカンダリセル及び第２セカンダリセルのうちの１つのセルの制御チャネルにおいて１つの前記制御情報を監視してもよく、ステップＳ１２０では、プライマリセル、第１セカンダリセルのうちの１つのセルの１つ又は複数のデータチャネルにおいて１つの前記応答情報を送信してもよい。
【００４３】
前記複数のキャリアがＵＥの現在使用できるキャリアのすべて又はキャリアの一部である。例えば、ＵＥが３つのセルに接続される場合、ＵＥの現在使用できるキャリアの個数が３であり、ここで、制御情報によりスケジューリングされた複数のキャリアが３つ又は２つであってもよい。
【００４４】
本願では、１つのセルが２つ以上のキャリアを提供できる場合を排除せず、本実施例における１つの物理制御チャネルの制御情報でＳＰＳリソースのアクティベート又は解放を統一して示す複数のキャリアが同じセルからの異なるキャリアであってもよい。
【００４５】
いくつかの実施例では、前記ＵＥはｙ１個のセルに同時に接続される可能性があるとともに、更に他のＵＥとサイドリンク通信を行うことができるが、サイドリンクがｙ２個のキャリアを提供する場合、前記ＵＥ通信のサポートするキャリアの個数がｙ１＋ｙ２個であってもよく、今回の制御情報で統一してアクティベート又は解放するＳＰＳリソースのキャリアの個数が前記ｙ１＋ｙ２以下であってもよい。
【００４６】
前記複数のキャリアがＵＥに接続される異なるセルからのものであってもよいし、サイドリンクであってもよい。前記キャリアが更にＶ２Ｘ通信中の端末間通信の物理サイドリンクに対応するキャリアであってもよい。このように、ステップＳ１１０では、前記第１通信機器が特定キャリアの制御チャネルにおいて前記制御情報を監視する。前記特定キャリアが前記複数のキャリアのうちの１つのキャリアであってもよいし、前記複数のキャリア以外の他のキャリアであってもよい。例えば、ＵＥに接続されるマクロセルの制御チャネルによって前記制御情報を送信し、該制御情報が該ＵＥに接続されるすべてのセカンダリセルにおけるキャリアのＳＰＳリソースのアクティベート又は解放を制御することに用いられる。ここで、セカンダリセルが第１セカンダリセル及び第２セカンダリセルのうちの１つ又は複数であってもよい。
【００４７】
選択肢として、前記ステップＳ１１０は１つのセルの物理ダウンリンク制御チャネルにおいて送信される制御情報を監視することを含んでもよい。該セルがＵＥに接続されるプライマリセル、第１セカンダリセル又は第２セカンダリセル等であってもよい。本実施例では、前記複数のセルが１つのＵＥに接続されるすべてのセルであってもよいし、１つのＵＥに接続されるすべてのセルのうちの一部のセルであってもよく、すなわち、ＳＰＳリソースのアクティベート又は解放を統一して示す複数のキャリアがＵＥの現在使用できるすべてのキャリアであってもよいし、ＵＥの現在使用できる一部のキャリアであってもよい。
【００４８】
例えば、１つのＵＥの使用できるキャリアがＮ個であり、前記複数のキャリアがＮ個のうちのｎ個であってもよく、前記ｎがＮ未満の正整数であり、前記Ｎが正整数である。例えば、ＵＥ  Ａが４つのセルに接続され、前記Ｎが４つのセルの提供する総キャリア数４に等しくてもよく、本実施例における前記複数のキャリアが必ずＵＥ  Ａに接続されるすべてのセルの提供するキャリアであるわけではなく、４つのセル又は３つのセルの提供するキャリアであってもよい。
【００４９】
本実施例では、前記セルがマクロ基地局で形成されるマクロセル、小基地局で形成される小セル又はマイクロセルであってもよい。１つのＵＥに接続される複数のセルが必ず同じ種類のセル、例えばいずれもマクロセル又はいずれも小セルであるわけではない。前記複数のキャリアがマクロセル及び１つ又は複数の小セル等のセルの提供するキャリアを含んでもよい。
【００５０】
要するに、前記ステップＳ１１０は１つのキャリアの制御チャネルにおいて送信される、物理ダウンリンク制御チャネル又は物理サイドリンク制御チャネルを含む制御情報を監視することを含んでもよい。
【００５１】
ＵＥと基地局との通信シーンにおいて、ＵＥが複数のセルに接続されてもよく、これらのセルの提供するキャリアが異なり、且つ複数のキャリアにいずれもＳＰＳリソースが構成されてもよい。ＳＰＳのための複数のキャリアを提供するセルがＵＥに接続されるプライマリセル、第１セカンダリセル又は第２セカンダリセル等のうちの１つであってもよい。
【００５２】
Ｖ２Ｘ通信モード２において、基地局が物理サイドリンク制御チャネルを利用して、物理サイドリンク共有チャネルの複数のキャリアに対してＳＰＳリソースのアクティベート又は解放を行う。
【００５３】
Ｖ２Ｘ通信モード３において、１つの端末が物理サイドリンク制御チャネルを利用して、物理サイドリンク共有チャネルの複数のキャリアに対してＳＰＳリソースのアクティベート又は解放を行う。
【００５４】
本実施例では、ＵＥが１つのみのキャリアの物理チャネルにおいて制御情報を受信する。
【００５５】
前記制御情報が物理ダウンリンク制御である場合、対応する通信シーンが非Ｖ２Ｘによる基地局とＵＥとの通信シーンであってもよいし、Ｖ２Ｘ通信モード２における通信シーンであってもよい。
【００５６】
前記制御情報が物理サイドリンク制御チャネルである場合、対応する通信シーンがＶ２Ｘ通信モード３における通信シーンであってもよい。
【００５７】
前記物理ダウンリンク制御チャネルがマルチキャスト方式で制御情報を伝送するグループ共通物理ダウンリンク制御チャネル（ｇｒｏｕｐ  ｃｏｍｍｏｎ  ＰＤＣＣＨ：ｇｒｏｕｐ  ｃｏｍｍｏｎ  Ｐｈｙｓｉｃａｌ  Ｄｏｗｎｌｉｎｋ  Ｃｏｎｔｒｏｌ  Ｃｈａｎｎｅｌ）であってもよいし、ユニキャスト方式で制御情報を伝送するユーザー装置特定物理ダウンリンク制御チャネル（ＵＥ  ｓｐｅｃｉｆｉｃ  ＰＤＣＣＨ：ＵＥ  ｓｐｅｃｉｆｉｃ  Ｐｈｙｓｉｃａｌ  Ｄｏｗｎｌｉｎｋ  Ｃｏｎｔｒｏｌ  Ｃｈａｎｎｅｌ）であってもよい。
【００５８】
図２に示すように、前記制御情報は１つの指示フィールドを含んでもよく、前記指示フィールドがＮフィールドを含んでもよく、前記Ｎが２又は３等以上の正整数であってもよい。各フィールドが複数のビットを含む。いくつかの実施例では、各フィールドに１つのキャリア識別子が含まれる。前記キャリア識別子が直接対応するキャリアのキャリア番号又はキャリア序数等であってもよいし、対応するキャリアの属するセルのセル識別子、例えばセル番号等であってもよい。従って、前記ステップＳ１１０は前記複数のキャリアのキャリア識別子が含まれる１つの制御チャネルの制御情報を監視することを含んでもよい。
【００５９】
図３に示すように、前記制御情報はＭ個のビットからなる１つのビットマップを含んでもよい。前記Ｍが２以上の正整数であってもよい。前記ビットマップでは、１つのビットが１つのキャリアに対応する。図３に示される例では、ビット１がキャリア１に対応し、ビット２がキャリア２に対応し、ビットＭがキャリアＭに対応する。１つのビットのビット値がそれぞれＳＰＳリソースのアクティベート及び解放の２種類の命令に対応する「０」及び「１」の２種類を含んでもよい。従って、前記ステップＳ１１０は１つの制御チャネルにおいて送信される、前記複数のキャリアに対応するビットマップが含まれる制御情報を監視することを含んでもよい。
【００６０】
いくつかの実施例では、ビット値「０」がアクティベートを示す場合、ビット値「１」が解放を示し、又は、ビット値「１」がアクティベートを示す場合、ビット値「０」が解放を示す。
いくつかの実施例では、前記制御情報が物理ダウンリンク制御チャネル情報である場合、ハイブリッド自動再送要求（ＨＡＲＱ）の新データ指示子（ＮＤＩ：Ｎｅｗ  Ｄａｔａ  Ｉｎｄｉｃａｔｏｒ）フィールドを利用して、ＳＰＳリソースのアクティベート又は解放を行う命令を搬送する。本実施例では、ロングタームエボリューションシステム（ＬＴＥ：Ｌｏｎｇ  Ｔｅｒｍ  Ｅｖｏｌｕｔｉｏｎ）のＳＰＳスケジューリングシグナリングの改良又は強化を利用して、複数のセルに対してＳＰＳリソースのアクティベート又は解放を一括して行い、又は、複数のキャリアに対してＳＰＳリソースのアクティベート又は解放を一括して行うことに相当する。
【００６１】
いくつかの実施例では、前記第１通信機器が第２通信機器へ肯定応答又は否定応答を送信せずに、直接監視された制御情報に基づき、対応するキャリアにおけるＳＰＳリソースに対してアクティベート又は解放動作を実行すればよい。ここで、肯定応答は対応する命令を受信して、命令に対応するアクティベート又は解放動作を実行することを示す応答であり、前記否定応答は命令に対応するアクティベート又は解放動作を実行しないことを示す応答であってもよい。
【００６２】
従って、本実施例では、前記ステップＳ１２０では１つのデータチャネル（すなわち、１つのキャリア）において複数のキャリアのＳＰＳリソースのアクティベート又は解放に対して統一された応答情報を送信し、又は、各データチャネル（複数のキャリアのうちの各キャリア）においてそれぞれＳＰＳリソースのアクティベート又は解放に対する独立した応答情報を独立して送信する。要するに、ここで、応答情報は少なくとも上記肯定応答等を含んでもよい。
【００６３】
ステップＳ１２０では１つのみのデータチャネルにおいて応答情報を送信する場合、該応答情報が第１応答情報と称されてもよい。該第１応答情報が前記複数のキャリアのＳＰＳリソースのアクティベート又は解放に対する統一された応答であってもよい。第２通信機器が第１応答情報を受信すれば、第１通信機器の複数のキャリアのＳＰＳリソースのアクティベート又は解放に対する返答又は受信状況を把握できる。ここで、受信状況が受信に成功したこと又は受信に失敗したことであってもよい。
【００６４】
ステップＳ１２０では前記複数のキャリアのうちの各キャリアにおいていずれも応答情報が送信される場合、該応答情報が第２応答情報と称される。該第２応答情報が単一のキャリアのＳＰＳリソースのアクティベート又は解放に対する独立した応答情報である。例えば、制御情報の受信によって、基地局又は他のＵＥ等の第２通信機器がセル１に対してＳＰＳリソースのアクティベートを行うことを発見する場合、第１通信機器はセル１においてセル１に対する独立した応答情報を送信することができ、セル１がその独立した第２応答情報を受信した後、第１通信機器の現在の状況を把握できる。
【００６５】
例えば、キャリアＡにＳＰＳリソースが構成され、受信された制御情報がキャリアＡにおけるＳＰＳリソースのアクティベートを示す場合、本実施例では、第１通信機器はキャリアＡそのものを利用して第２通信機器へ応答情報を返答することができる。第１通信機器がＳＰＳリソースのアクティベート又は解放を行うように要求される各複数のキャリアにおいて前記第２応答情報を独立して送信する場合、前記第１通信機器はステップＳ１２０ではＳＰＳリソースのアクティベート又は解放を行うことを放棄したキャリアにおいて前記第２応答情報を送信せずに、ＳＰＳリソースのアクティベート又は解放を行うことを確認したキャリアのみにおいて前記第２応答情報を送信してもよく、このように、第１通信機器から送信された情報数を更に減少させ、シグナリングオーバーヘッドを減少させることができる。基地局又は他のＵＥ等の第２通信機器は指定時間内に対応するキャリアにおいて前記第２応答情報を受信していない場合、第１通信機器が対応するＳＰＳリソースのアクティベート又は解放を実行する命令をシールドするように初期構成される。
【００６６】
要するに、前記ステップＳ１２０は、１つのデータチャネル（例えば、前記複数のキャリアのうちの１つのキャリア）を利用して前記第１応答情報を送信し、又は、前記複数のキャリアの複数のデータチャネル（例えば、前記複数のキャリアのうちの各キャリア）を利用して前記第２応答情報を送信することを含んでもよい。
【００６７】
従って、本願の実施例に係るＳＰＳの処理方法はＳＰＳを利用して制御シグナリングの送信を行い、動的スケジューリングに比べて、スケジューリング方式が変化したため、シグナリングオーバーヘッドを減少させ、ＵＥが制御チャネル情報を監視・ブラインド検出する電力オーバーヘッドを減少させる。
【００６８】
送信された応答情報が第２応答情報である場合、１つのキャリアにおける制御情報及び１つのキャリアにおける応答情報を利用して、複数のキャリアのＳＰＳリソースのアクティベート又は解放に対する応答を一括して完了し、各キャリアに対してアクティベート又は解放の指示及び応答を１つずつ行うことに比べて、送受信されたシグナリングデータを更に減少させ、シグナリングオーバーヘッドを更に減少させ、ＵＥがシグナリングを送受信し及びシグナリングを復号するために消費したオーバーヘッドを更に減少させる。
【００６９】
本実施例では、ＳＰＳリソースのアクティベート又は解放を行う制御情報を伝送するためのキャリア及び前記応答情報を返答するためのキャリアは、第１通信機器と第２通信機器とが予め協議したものであってもよいし、所定のルールに従って選択したものであってもよい。
【００７０】
前記応答情報は通信する各層が伝送する情報、例えば無線リンク制御層（ＲＬＣ：Ｒａｄｉｏ  Ｌｉｎｋ  Ｃｏｎｔｒｏｌ）情報又は無線リソース制御（ＲＲＣ：Ｒａｄｉｏ  Ｒｅｓｏｕｒｃｅ  Ｃｏｎｔｒｏｌ）層情報であってもよい。本実施例では、媒体アクセス制御（ＭＡＣ：Ｍｅｄｉａ  Ａｃｃｅｓｓ  Ｃｏｎｔｒｏｌ）情報を利用して前記アプリケーション情報を搬送する。例えば、ＭＡＣ層のＭＡＣ制御ユニット（ＣＥ：Ｃｏｎｔｒｏｌ  Ｅｌｅｍｅｎｔ）を利用して前記応答情報を伝送する場合、前記ステップＳ１２０は少なくとも１つのキャリアにおいて負荷（ｐａｙｌｏａｄ）に前記応答情報が含まれるＭＡＣ  ＣＥを送信することを含んでもよい。前記ＭＡＣ  ＣＥが負荷を含み、前記負荷が前記ＭＡＣ  ＣＥの本文を構成する。前記負荷に応答情報が含まれる。具体的にどのように前記応答情報を搬送するかについては、以下に２つの代替方式を提供する。
【００７１】
代替方式１
１つのデータチャネルにおいて負荷に前記複数のキャリアのキャリア識別子が含まれるＭＡＣ  ＣＥを送信する。
【００７２】
本実施例では、ＭＡＣ  ＣＥの負荷に１つの指示フィールドを構成してもよく、該指示フィールドが複数のフィールドを含み、該フィールドが複数のキャリアのキャリア識別子、例えば対応するキャリアの提供するセルのセル識別子又はキャリア番号又はキャリア序数等の対応するキャリアを唯一に示す情報を搬送することに用いられてもよい。ＳＰＳリソースのアクティベート又は解放動作を実行すると決定した場合、対応するキャリア識別子を応答情報に含ませ、そうでない場合、該キャリア識別子を含まなくてもよい。
【００７３】
いくつかの実施例では、前記フィールドが２つのサブフィールドに分けられてもよく、一方が識別子サブフィールドであり、他方が指示サブフィールドであり、前記識別子サブフィールドがキャリア識別子を搬送することに用いられ、前記指示サブフィールドがＳＰＳリソースのアクティベート又は解放を実行するかどうかを示す指示ビットを搬送することに用いられる。例えば、フィールド１の識別子サブフィールドにセルＡの識別子が含まれ、且つフィールド１の指示サブフィールドに確認指示子が含まれる場合、セルＡのＳＰＳリソースをアクティベート又は解放することを確認したことを示す。
【００７４】
代替方式２
１つの前記データチャネルにおいて負荷に前記複数のキャリアに対応するビットマップが含まれるＭＡＣ  ＣＥを送信する。
【００７５】
前記ビットマップにおける１つのビットが１つのキャリアに対応してもよく、例えば、キャリアＡがビットマップにおける４番目のビットに対応する場合、基地局又は他のＵＥは前記応答情報を受信した後、ビットマップにおける４番目のビットのビット値に基づき、ＵＥがＡにおけるＳＰＳリソースのアクティベート又は解放を実行することを確認するかどうかを決定する。
【００７６】
図４には本実施例に係るＭＡＣ  ＣＥを示し、ヘッダー及び負荷の２つの部分からなるが、負荷に応答情報が含まれる。
【００７７】
代替方式３
前記ステップＳ１２０は、
前記複数のキャリアのうちの各キャリアにおいて、対応するキャリアのＳＰＳリソースのアクティベート又は解放に対する応答情報が含まれるＭＡＣ  ＣＥをそれぞれ送信することを含んでもよい。
【００７８】
図５に示すように、前記方法は、更に、
前記複数のキャリアに対するＳＰＳリソースの構成情報を受信し、前記構成情報は少なくとも前記複数のキャリアに対してＳＰＳスケジューリングを行う統一ＳＰＳスケジューリング識別子を含むステップＳ１００と、
前記統一ＳＰＳスケジューリング識別子を利用して監視された前記制御情報をブラインド検出するステップＳ１１１と、を含む。
【００７９】
本実施例では、前記統一ＳＰＳスケジューリング識別子が特に構成された複数のキャリアのＳＰＳスケジューリングのための統一された識別子であってもよい。
【００８０】
前記統一ＳＰＳスケジューリング識別子が唯一の識別性のある１つの文字列又は１つのシーケンス番号であってもよい。本実施例では、ＳＰＳ−ＲＮＴＩであってもよい場合、該統一ＳＰＳスケジューリング識別子がＳＰＳ−ＲＮＴＩ−ＡＬＬであってもよい。前記ＳＰＳ−ＲＮＴＩ−ＡＬＬが複数のキャリアのＳＰＳリソースの解放又はアクティベートを同時に示す制御情報に対するブラインド検出に用いられ、単一のキャリアのみに対してＳＰＳリソースのアクティベート・解放を示す制御情報をブラインド検出するＳＰＳ−ＲＮＴＩと異なる。
【００８１】
該統一ＳＰＳスケジューリング識別子はＵＥが監視された制御情報をブラインド検出することに用いられてもよい。本実施例では、各キャリアに対していずれも１つのスケジューリング識別子を独立して構成せずに、１つのスケジューリング識別子を利用して複数のキャリアにおけるＳＰＳリソースのアクティベート又は解放命令のブラインド検出を行うことができ、スケジューリング識別子の使用を減少させ、識別子リソースの消費を削減する。
【００８２】
更に、前記ＳＰＳの構成情報が前記統一ＳＰＳスケジューリング識別子を含む場合、前記制御情報が１つのビットですべてのキャリアのＳＰＳリソースの解放又はアクティベートを示してもよい。このように、制御チャネルが１つのビットを消費するだけで、該ビットの２種類の状態によって１つのＵＥのサポートする複数のキャリアのＳＰＳリソースの統一されたアクティベート又は解放を実現することができ、シグナリングオーバーヘッドを更に減少させる。
【００８３】
いくつかの実施例では、前記制御情報に含まれる指示ビットが１つのビットに限らず、２つのビット又は複数のビットであってもよく、今回のＳＰＳリソースのアクティベート又は解放動作に参加するキャリアの個数より小さい個数として選択されてもよい。
【００８４】
図６に示すように、本実施例はＳＰＳの処理方法を提供し、第２通信機器に適用され、
１つの制御チャネルにおいて制御情報を送信し、前記制御情報は複数のキャリアがＳＰＳ構成された通信リソースであるＳＰＳリソースのアクティベート又は解放を行うことを示すステップＳ２１０と、
少なくとも１つのデータチャネルにおいて、１つ又は前記複数のキャリアのＳＰＳのアクティベート又は解放に対する応答が含まれる応答情報を受信するステップＳ２２０と、を含む。
【００８５】
本実施例では、前記第２通信機器が制御情報を送信できる通信機器であってもよく、基地局又はＶ２Ｘ通信中のＵＥであってもよい。
【００８６】
ステップＳ２１０では、第２通信機器は第１通信機器が複数のキャリアにおけるＳＰＳリソースのアクティベート又は解放を行うとき、１つのキャリアの制御チャネルにおける制御情報のみを利用して複数のキャリアのＳＰＳリソースのアクティベート又は解放を統一して送信するように指示する。
【００８７】
ステップＳ２２０では、１つ又は複数のデータチャネルにおいて応答情報を受信し、ここで、応答情報がＳＰＳリソースのアクティベート又は解放に対する応答である。
【００８８】
選択肢として、１つのＵＥが複数のセルに接続されるが、異なるセルが異なるキャリアに対応する場合、該ＵＥの位置する複数のセルにいずれもＳＰＳリソースが構成される。前記複数のセルは少なくとも第１セカンダリセル以外の少なくとも１つの第２セカンダリセルを含み、前記ステップＳ２１０は１つのセルの物理ダウンリンク制御チャネルにおいて制御情報を送信することを含んでもよく、前記ステップＳ２２０は１つ又は複数のセルのデータチャネルにおいて応答情報を受信し、例えば、１つのセルのデータチャネルにおいて複数のキャリアのＳＰＳリソースのアクティベート又は解放に対して統一して応答する第１応答情報を受信し、又は、複数のセルのデータチャネルにおいてそれぞれ対応するセルのキャリアにおけるＳＰＳリソースの解放又はアクティベートに対する応答を独立して受信し、すなわち、第２応答情報を受信することを含んでもよい。
【００８９】
選択肢として、前記ステップＳ２１０は１つのキャリアの制御情報を利用して制御情報を送信することを含んでもよく、前記制御チャネルが物理ダウンリンク制御チャネル又は物理サイドリンク制御チャネルを含み、前記ステップＳ２２０は１つのキャリアのデータチャネルにおいて前記複数のキャリアのＳＰＳリソースのアクティベート又は解放に対する応答を含む第１応答情報を受信し、又は、前記複数のキャリアのうちの各キャリアにおいて１つのキャリアのＳＰＳリソースのアクティベート又は解放に対する応答を含む第２応答情報を受信することを含んでもよい。例えば、ステップＳ２２０では、ｎ番目のキャリアにおいて第２応答情報を受信した場合、第ｎキャリアに含まれる第２応答情報が第ｎキャリアにおけるＳＰＳリソースのアクティベート又は解放に対する応答である。
【００９０】
選択肢として、前記制御チャネルが物理ダウンリンク制御チャネルである場合、前記制御情報のハイブリッド自動再送要求（ＨＡＲＱ）のＮＤＩフィールドに前記操作指示子が含まれる。
【００９１】
いくつかの実施例では、前記方法は、更に前記複数のキャリアに対するＳＰＳの構成情報を送信することを含み、前記構成情報は少なくとも前記複数のキャリアに対してＳＰＳスケジューリングを行う、第１通信機器が監視された前記制御情報をブラインド検出するための統一ＳＰＳスケジューリング識別子を含む。ここで、構成情報の送信によって、少なくとも第１通信機器が前記構成情報に基づき、各キャリアに構成されたＳＰＳリソースを把握することに役立つ。例えば、ブロードキャスト方式でセルのシステム情報をブロードキャストすることにより前記ＳＰＳの構成情報を送信し、例えば、物理ダウンリンク制御チャネルによって前記ＳＰＳの構成情報をブロードキャスト又はマルチキャストする。
【００９２】
いくつかの実施例では、送信されたＳＰＳの構成情報に同じＳＰＳスケジューリング識別子が含まれる場合、前記ステップＳ２１０は制御チャネルにおいて複数のキャリアのＳＰＳリソースのアクティベート又は解放を示す１つの指示ビットを送信することを含んでもよく、この時、キャリアを示す必要がない。前記統一ＳＰＳスケジューリング識別子と前記複数のキャリアとが所定の対応関係を有するが、このような対応関係が前記ＳＰＳの構成情報の中既に具現された。例えば、キャリアＡに対するＳＰＳの構成情報に該統一ＳＰＳスケジューリング識別子が含まれる場合、ＵＥが該統一ＳＰＳスケジューリング識別子を利用して対応する制御チャネルをブラインド検出することに成功すれば、ＳＰＳリソースのアクティベート又は解放を示す１つ又は複数の指示ビットを抽出して、キャリアＡのＳＰＳリソースをアクティベート又は解放してもよい。
【００９３】
いくつかの実施例では、前記ステップＳ２１０は、
１つのキャリアの制御チャネルを利用して、前記複数のキャリアのキャリア識別子が含まれる制御情報を送信すること、
１つのキャリアの制御チャネルを利用して、前記複数のキャリアに対応するビットマップが含まれる制御情報を送信することのうちの少なくとも１つを含んでもよい。
【００９４】
選択肢として、前記ステップＳ２２０は１つ又は複数のキャリアにおいて負荷に前記応答情報が含まれるＭＡＣ  ＣＥを受信することを含んでもよい。
【００９５】
本実施例では、前記ＭＡＣ  ＣＥに負荷が含まれる。前記負荷に応答情報が含まれる。
【００９６】
選択肢として、前記ステップＳ２２０は、１つのキャリアにおいて、負荷に前記複数のキャリアのＳＰＳリソースのアクティベート又は解放に対する応答を含む第１応答情報が含まれるＭＡＣ  ＣＥを受信し、
又は、
各キャリアにおいて、負荷に１つのキャリアのＳＰＳリソースのアクティベート又は解放に対する応答を含む第２応答情報が含まれるＭＡＣ  ＣＥを受信することを含んでもよい。
【００９７】
選択肢として、１つのキャリアにおいて、負荷に前記複数のキャリアのキャリア識別子が含まれるＭＡＣ  ＣＥを受信し、１つのキャリアにおいて、負荷に前記複数のキャリアに対応するビットマップが含まれるＭＡＣ  ＣＥを受信する。
【００９８】
一実施例では、対応するキャリアが含まれるキャリア識別子で肯定応答又は否定応答を示し、他の実施例では、ビットマップで肯定応答又は否定応答を示す。要するに、本実施例は２つの代替方式を提供し、具体的に実現するとき、上記いずれか１つに限らない。
【００９９】
図７に示すように、本願の実施例は通信機器を提供し、前記通信機器が第１通信機器であり、
１つの制御チャネルの制御情報を監視し、前記制御情報は複数のキャリアにおける構成された準静的通信リソースであるＳＰＳリソースのアクティベート又は解放を示すように構成される監視ユニット１１０と、
少なくとも１つのデータチャネルにおいて応答情報を送信し、前記応答情報は１つ又は複数のＳＰＳリソースのアクティベート又は解放に対する応答を含むように構成される第１送信ユニット１２０と、を備える。
【０１００】
前記第１通信機器が携帯電話、タブレットＰＣ又は車載端末等の様々なタイプの通信端末であってもよい。
【０１０１】
本実施例における監視ユニット１１０は第１通信機器の受信アンテナに対応してもよく、制御チャネルにおける無線信号を監視することにより、前記制御情報を取得する。
【０１０２】
前記第１送信ユニット１２０は第１通信機器の送信アンテナに対応してもよく、該送信アンテナは応答情報の送信に使用されてもよく、送信する時に１つ又は複数のキャリアにおいて送信してもよい。
【０１０３】
前記監視ユニット１１０は、前記制御情報を取得するために前記複数のキャリアのうちの１つのキャリアの制御チャネルを監視し、前記制御チャネルが物理ダウンリンク制御チャネル又は物理サイドリンク制御チャネルを含むように構成され、
いくつかの実施例では、前記第１送信ユニット１２０は、前記複数のキャリアのうちの１つのキャリアを利用して、前記複数のキャリアのＳＰＳリソースのアクティベート又は解放に対する応答を含む前記第１応答情報を送信するように構成される。
【０１０４】
他の実施例では、前記第１送信ユニット１２０は、前記複数のキャリアのうちの各キャリアを利用して前記第２応答情報をそれぞれ送信し、１つのキャリアにおける前記第２応答情報が、前記第２応答情報が含まれるキャリアのＳＰＳリソースのアクティベート又は解放に対する応答を含むように構成される。
【０１０５】
選択肢として、前記制御チャネルが物理ダウンリンク制御チャネルである場合、すなわち、前記制御情報が物理ダウンリンク制御チャネル情報である場合、前記物理ダウンリンク制御チャネル情報のＨＡＲＱのＮＤＩフィールドにＳＰＳリソースのアクティベート又は解放を行う命令が含まれる。本実施例では、ＨＡＲＱのＮＤＩフィールドを多重化することによって、ＳＰＳリソースのアクティベート又は解放を行う命令を搬送する。
【０１０６】
いくつかの実施例では、前記第１通信機器は、更に、
前記複数のキャリアのＳＰＳリソースの構成情報を受信し、前記構成情報が少なくとも前記複数のキャリアに対してＳＰＳスケジューリングを行う統一ＳＰＳスケジューリング識別子を含むように構成される第１受信ユニットを備える。
【０１０７】
それに対応して、前記監視ユニット１１０は、前記統一ＳＰＳスケジューリング識別子を利用して監視された前記制御情報をブラインド検出するように構成される。
【０１０８】
いくつかの実施例では、前記第１送信ユニット１１０は、前記複数のキャリアのうちの少なくとも１つのキャリアにおいて、負荷に前記応答情報が含まれるＭＡＣ  ＣＥを送信するように構成される。
【０１０９】
前記監視ユニット１１０は、前記複数のキャリアのキャリア識別子が含まれる前記複数のキャリアのうちの１つのキャリアの制御情報を監視し、又は、前記複数のキャリアに対応するビットマップが含まれる前記複数のキャリアのうちの１つのキャリアの制御情報を監視するように構成される。
【０１１０】
選択肢として、前記第１送信ユニット１２０は、前記複数のキャリアのうちの少なくとも１つのキャリアにおいて、負荷に前記応答情報が含まれる媒体アクセス制御（ＭＡＣ）制御ユニット（ＣＥ）を送信するように構成される。
【０１１１】
例えば、前記第１送信ユニット１２０は、前記複数のキャリアのうちの１つのキャリアにおいて、負荷に前記複数のキャリアのＳＰＳリソースのアクティベート又は解放に対する応答を含む第１応答情報が含まれるＭＡＣ  ＣＥを送信するように構成されてもよい。
【０１１２】
更に、例えば、前記第１送信ユニット１２０は、更に、前記複数のキャリアのうちの各キャリアにおいて、負荷に１つのキャリアのＳＰＳリソースのアクティベート又は解放に対する応答を含む第２応答情報が含まれるＭＡＣ  ＣＥを送信するように構成されてもよい。
【０１１３】
前記ＭＡＣ  ＣＥに第１応答情報が含まれる場合、前記ＭＡＣ  ＣＥの負荷に複数のキャリアのキャリア識別子が含まれ、又は複数のキャリアと対応関係を有するビットマップが含まれてもよい。
【０１１４】
図８に示すように、本実施例は通信機器を提供し、前記通信機器が第２通信機器であり、
１つの制御チャネルにおいて制御情報を送信し、前記制御情報は複数のキャリアが構成された準静的通信リソースであるＳＰＳリソースのアクティベート又は解放を行うことを示すように構成される第２送信ユニット２１０と、
少なくとも１つのキャリアにおいて、１つ又は複数のキャリアのＳＰＳのアクティベート又は解放に対する応答が含まれる応答情報を受信するように構成される第２受信ユニット２２０と、を備える。
【０１１５】
前記第２通信機器が基地局、例えば５Ｇ通信における次世代基地局（ｇＮＢ）、３Ｇ又は４Ｇにおける発展型基地局（ｅＮＢ）等であってもよいし、サイドリンクを利用して通信する他のＵＥであってもよい。
【０１１６】
本実施例における前記第２送信ユニット２１０は第２通信機器のアンテナに対応し、１つの制御チャネルにおいて制御情報を送信して、複数のキャリアにおけるＳＰＳリソースをアクティベート又は解放することに用いられてもよい。
【０１１７】
前記第２送信ユニット２１０は、物理ダウンリンク制御チャネル又は物理サイドリンク制御チャネルを含む１つのキャリアの制御チャネルを利用して制御情報を送信するように構成される。
前記第２受信ユニット２２０は、前記複数のキャリアのうちの１つのキャリアにおいて、前記複数のキャリアのＳＰＳリソースのアクティベート又は解放に対する応答を含む第１応答情報を受信するように構成されてもよい。
【０１１８】
前記第２受信ユニット２２０は、更に、前記複数のキャリアのうちの各キャリアにおいて、１つのキャリアのＳＰＳリソースのアクティベート又は解放に対する応答を含む第２応答情報を受信するように構成されてもよい。
【０１１９】
いくつかの実施例では、前記第２受信ユニット２２０は、少なくとも１つのキャリアにおいて負荷に前記応答情報が含まれるＭＡＣ  ＣＥを受信するように構成される。
【０１２０】
前記第２受信ユニット２２０は、１つ又は複数のキャリアにおいて負荷に前記応答情報が含まれる媒体アクセス制御（ＭＡＣ）制御ユニット（ＣＥ）を受信するように構成されてもよい。
【０１２１】
選択肢として、前記第２受信ユニット２２０は、１つのキャリアにおいて、負荷に前記複数のキャリアのキャリア識別子が含まれるＭＡＣ  ＣＥを受信し、又は、１つのキャリアにおいて、負荷に前記複数のキャリアに対応するビットマップが含まれるＭＡＣ  ＣＥを受信するように構成されてもよい。
【０１２２】
選択肢として、前記第２送信ユニット２１０は、更に、１つのキャリアの制御チャネルにおいて制御情報を送信する前に、複数のキャリアのＳＰＳの構成情報を送信するように構成される。
【０１２３】
いくつかの実施例では、前記第２送信ユニット２１０から送信されたＳＰＳの構成情報には統一ＳＰＳスケジューリング識別子が含まれ、前記統一ＳＰＳスケジューリング識別子は第１通信機器が監視された前記制御情報をブラインド検出することに用いられる。この時、前記第２送信ユニット２１０から送信された制御情報には、前記複数のキャリアのＳＰＳリソースの統一された解放又は統一されたアクティベートを示す指示ビットが含まれ、該指示ビットが１つ又は複数のビットであってもよい。
【０１２４】
図９に示すように、本実施例は通信機器を提供し、送受信機３１０、メモリ３２０、プロセッサ３３０及び前記メモリ３２０に記憶されて前記プロセッサ３３０により実行されるコンピュータプログラム３４０を備え、前記プロセッサ３３０は前記送受信機及び前記メモリにそれぞれ接続され、前記コンピュータプログラムを実行することにより、前記送受信機が情報を送受信し及び前記メモリが情報を記憶するように制御して、上記１つ又は複数の技術案に係る準静的スケジューリング（ＳＰＳ）の処理方法を実現し、例えば、第１通信機器に適用されるＳＰＳの処理方法、第２通信機器に適用されるＳＰＳの処理方法を実行するように構成される。
【０１２５】
前記送受信機３１０がＵＥの送受信アンテナ等を備えてもよい。
【０１２６】
前記メモリ３２０が様々なタイプの記憶媒体を含んでもよく、前記記憶媒体がメモリ及びハードディスク等の記憶媒体を含んでもよい。
【０１２７】
前記プロセッサ３３０は集積回路（ＩＩＣ）バス等の通信バスによって前記送受信機３１０及びメモリ３２０に接続され、前記通信バスによってメモリ３２０に記憶されるコンピュータプログラムを読み取って、通信バスによって送受信機３１０及びメモリ３２０へ制御命令を送信し、送受信機３１０及びメモリ３２０の実行する送受信動作及び記憶動作を制御して、上記１つ又は複数の技術案に係るＳＰＳ処理方法を実行することができる。
【０１２８】
前記プロセッサが中央演算装置、マイクロプロセッサ、デジタルシグナルプロセッサ、アプリケーションプロセッサ、プログラマブルアレイ又は特定用途向け集積回路のうちのいずれか１つ又は複数の組み合わせであってもよい。
【０１２９】
本実施例に係る通信機器が上記第１通信機器であってもよいし、上記第２通信機器であってもよい。第１通信機器である場合、前記第１通信機器が様々なＵＥであってもよく、第２通信機器である場合、基地局又はＵＥであってもよい。
【０１３０】
本実施例はコンピュータ記憶媒体を提供し、前記コンピュータ記憶媒体にコンピュータプログラムが記憶され、前記コンピュータプログラムがプロセッサにより実行された後、第１電子機器に適用される上記いずれか１つ又は複数のＳＰＳの処理方法を実現し、又は、第２電子機器に適用される上記いずれか１つ又は複数のＳＰＳの処理方法を実現することができる。
【０１３１】
前記コンピュータ記憶媒体が携帯記憶装置、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体であってもよい。
【０１３２】
選択肢として、前記コンピュータ記憶媒体が非一時的な記憶媒体又は不揮発性記憶媒体である。
【０１３３】
以下、上記いずれか１つの実施例と組み合わせていくつかの具体例を提供する。
【０１３４】
例１
本例では、ネットワーク側の基地局等のネットワーク要素がＲＲＣによってＳＰＳの周期等の構成情報を構成し、次に物理層（Ｌ１）シグナリング（ＰＤＣＣＨ）によってＳＰＳリソースをアクティベート又は解放するとともに、端末がＰＤＣＣＨのアクティベート又は解放を受信したとき、ネットワーク側へ確認ＭＡＣ  ＣＥを送信する。本例では、基地局がプライマリセル、第１セカンダリセル又は第２セカンダリセルにおいていずれもＳＰＳリソースのアクティベート又は解放を行ってもよい。端末の確認メッセージもそれぞれ異なるＰＣＥＬＬ又はＳＰＣＥＬＬ又はＳＣＥＬＬにおいて独立して送信されるものである。
【０１３５】
端末から送信されたＳＰＳリソースのアクティベート又は解放を返答する応答情報は本実例における対応する新無線（ＮＲ：Ｎｅｗ  Ｒａｄｉｏ）において、ＳＣＥＬＬもＳＰＳをサポートするため、上記アクティベート、解放及び確認を強化する必要がある。１つ又は複数のセルのＭＡＣ  ＣＥに負荷を追加し、負荷によって応答情報を搬送する。ここで、応答情報が肯定応答であってもよい。
【０１３６】
例２
端末がネットワークのＲＲＣ情報を受信してＳｐＣｅｌｌにＳＰＳの関連パラメータ（ＳＰＳ−ＲＮＴＩ、ＳＰＳ周期、ＨＡＲＱプロセス等のＳＰＳの構成情報を含む）を構成するとともに、ＳｃｅｌｌにＳＰＳの関連パラメータ（ＳＰＳ−ＲＮＴＩ、ＳＰＳ周期、ＨＡＲＱプロセス等のＳＰＳの構成情報を含む）、ＳＰＳスケジューリング識別子（ＩＤ）、ＳＰＳ−ＲＮＴＩを構成してもよい。
【０１３７】
端末が構成されたＳＰＳ−ＲＮＴＩによってＰＤＣＣＨから送信された制御情報を受信し、制御情報に含まれる命令に基づき、１つ又は１組のセルにおけるＳＰＳリソースをアクティベート又は解放する。該過程は、
該物理ダウンリンク制御チャネル（ＰＤＣＣＨ）から送信された、該ＵＥに接続されるすべてのセルのキャリアにおけるＳＰＳリソースをアクティベート又は解放することを示す制御情報を受信することを含んでもよい。
【０１３８】
該ＰＤＣＣＨの制御情報に１つの特別なＲＮＴＩ、例えば前記ＳＰＳ−ＲＮＴＩに対応するＳＰＳ−ＲＮＴＩ−ＡＬＬ（すなわち、上記統一されたＳＰＳ−ＲＮＴＩ−ＡＬＬの１つである）を構成してもよい。端末が該ＳＰＳ−ＲＮＴＩ−ＡＬＬによってＰＤＣＣＨの制御情報を復調する。該制御情報が該ＵＥに接続されるすべてのセルにおけるＳＰＳリソースのアクティベート又は解放を示し、又は、ＰＤＣＣＨのダウンリンク制御情報（ＤＣＩ）に１つの指示フィールド、例えば「オン／オフ」が含まれ、「オン」は該ＰＤＣＣＨの制御情報がすべてのセルのＳＰＳのアクティベート又は解放に対して示すことを示し、「オフ」は該ＰＤＣＣＨがある（すなわち、本セル）セルにおけるＳＰＳリソースのアクティベート又は解放のみに対して示すことを示す。
【０１３９】
該ＰＤＣＣＨの制御情報が１組のセルにおけるＳＰＳリソースに対してアクティベート又は解放動作を行う。該ＰＤＣＣＨに１つの特別なＲＮＴＩ、例えばＳＰＳ−ＲＮＴＩ−ＰＡＲＴＩＡＬを構成するとともに、ＰＤＣＣＨには該ＰＤＣＣＨが対応するどのセルのセル識別子（ＩＤ）を示す１つのフィールドを追加する。ＳＰＳリソースをアクティベート又は解放する命令がＬＴＥのＳＰＳアクティベート又は解放の制御情報のＨＡＲＱ情報におけるＮＤＩフィールドに含まれてもよい。
【０１４０】
端末は応答情報が含まれるＭＡＣ  ＣＥを送信するとき、あるセルのＳＰＳリソースにおいて１つ、一部又はすべてのセルに対するＳＰＳリソースのアクティベート又は解放確認を送信してもよい。
例えば、すべてのＳＰＳリソースをアクティベート又は解放する対応するセルＩＤを示す１つのＭＡＣ  ＣＥ負荷（ｐａｙｌｏａｄ）を利用し、又は、１つのビットマップ（ｂｉｔｍａｐ）である１つのＭＡＣ  ＣＥ負荷を利用する。ビットマップに含まれるビットの個数が該ＵＥに接続されるすべてのセルの個数に等しく、ビットマップにおける各ビットが確認メッセージを示し、該ビットのビット値「０」が解放することを確認することを示し、「１」がアクティベートすることを確認することを示す。アクティベートは対応するＳＰＳリソースを占有してＳＰＳデータ伝送を行うことを示す。解放は対応するＳＰＳリソースを占有せずに、該ＳＰＳリソースに対応する通信リソースの状態をアイドル状態に切り替え、動的スケジューリング又は次回のＳＰＳに使用されてもよいことを示す。
【０１４１】
端末は応答情報が含まれるＭＡＣ  ＣＥを送信するとき、あるキャリア（例えば、Ｖ２Ｘ  サイドリンクキャリア）に複数のＳＰＳリソース（例えば、８つのＳＰＳ）を構成できる場合、ＭＡＣ  ＣＥを送信するとき、該ＭＡＣ  ＣＥが対応するキャリアのみにおいて送信され、すなわち、端末がどのキャリアにおいてアクティベート又は解放を受信すると、このキャリアにおいてＭＡＣ  ＣＥを送信し、また、１つの負荷に含まれるビットマップはそれぞれ１つのキャリアにおける異なるＳＰＳリソースをアクティベート又は解放する確認情報に対応し、対応するビットのビット値「０」が解放することを確認することに対応し、ビット値「１」がアクティベートすることを確認することに対応する。
【０１４２】
本願に係るいくつかの実施例では、開示される装置及び方法は他の方式で実現されてもよいと理解すべきである。以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【０１４３】
分離部材として説明される上記ユニットは物理的に分離してもよいし、物理的に分離しなくてもよく、ユニットとして表示される部材は物理ユニットであってもよいし、物理ユニットでなくてもよく、すなわち、一箇所に位置してもよいし、複数のネットワークユニットに配置されてもよく、実際の必要に応じて、その一部又は全部のユニットを選択して本実施例案の目的を実現してもよい。
【０１４４】
また、本願の各実施例では、各機能ユニットは１つの処理モジュールに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよいし、ハードウェアプラスソフトウェア機能ユニットの形式で実現されてもよい。
【０１４５】
当業者であれば、上記方法実施例を実現する全部又は一部のステップはプログラムによって関連するハードウェアを命令して完了させてもよく、上記プログラムがコンピュータ可読記憶媒体に記憶されてもよく、該プログラムが実行時、上記方法実施例のステップを実行すると理解される。
【０１４６】
以上の説明は本願の好適な実施例に過ぎず、本願の保護範囲を制限するためのものではない。本願の原理に基づき行った修正はいずれも本願の保護範囲に含まれると理解すべきである。
【産業上の利用可能性】
【０１４７】
本願の実施例では、複数のキャリアの第１通信機器を使用して、１つの制御チャネルにおいてＳＰＳリソースのアクティベート又は解放を示す物理制御情報を受信することができ、このように、第１通信機器は１つの制御情報を監視すれば、複数のキャリアのＳＰＳリソースのアクティベート又は解放を完了することができ、シグナリングオーバーヘッドを減少させ、且つ監視された電力オーバーヘッドを減少させ、従って、有益な工業的効果を有する。それと同時に、第１通信機器及び第２通信機器に特定機能を実行できるコンピュータプログラム等のコンピュータ実行可能命令を追加することにより、本願の実施例の各技術案を容易に実現することができ、それにより容易に実現できるという特徴を有し、工業的に繰り返し且つ普及させることができる。
【図１】
2020533830.tif 000003
【図２】
2020533830.tif 000004
【図３】
2020533830.tif 000005
【図４】
2020533830.tif 000006
【図５】
2020533830.tif 000007
【図６】
2020533830.tif 000008
【図７】
2020533830.tif 000009
【図８】
2020533830.tif 000010
【図９】
2020533830.tif 000011
【手続補正書】
【提出日】令和2年7月14日(2020.7.14)
【手続補正１】
【補正対象書類名】明細書
【補正対象項目名】０００６
【補正方法】変更
【補正の内容】
【０００６】
第２態様では、本願の実施例は更に準静的スケジューリング（ＳＰＳ）の処理方法を提供し、第２通信機器に適用され、
１つの制御チャネルにおいて制御情報を送信し、前記制御情報は複数のキャリアが構成された準静的通信リソースであるＳＰＳリソースのアクティベート又は解放を行うことを示すことと、
少なくとも１つのデータチャネルにおいて、１つ又は複数のキャリアのＳＰＳリソースのアクティベート又は解放に対する応答が含まれる応答情報を受信することと、を含む。
【手続補正２】
【補正対象書類名】明細書
【補正対象項目名】０００８
【補正方法】変更
【補正の内容】
【０００８】
第４態様では、本願の実施例は通信機器を提供し、前記通信機器が第２通信機器であり、
１つの制御チャネルにおいて制御情報を送信し、前記制御情報は複数のキャリアが構成された準静的通信リソースであるＳＰＳリソースのアクティベート又は解放を行うことを示すように構成される第２送信ユニットと、
少なくとも１つのキャリアにおいて、１つ又は複数のキャリアのＳＰＳリソースのアクティベート又は解放に対する応答が含まれる応答情報を受信するように構成される第２受信ユニットと、を備える。
【手続補正３】
【補正対象書類名】明細書
【補正対象項目名】００１１
【補正方法】変更
【補正の内容】
【００１１】
本願の実施例に係るＳＰＳの処理方法、通信機器及び記憶媒体において、
第１態様では、複数のキャリアの通信リソースを同時に利用できる第１通信機器に対して、ＳＰＳを使用して通信スケジューリングを行うことになり、動的スケジューリングに比べて、スケジューリング回数が少なく、情報をスケジューリングするオーバーヘッドが小さく、スケジューリングを監視する電力消費が小さい。
第２態様では、第１通信機器が各キャリアの制御チャネルにおいて複数の制御チャネルを監視せずに、１つの制御チャネルの１つの制御情報を利用して、複数のキャリアのＳＰＳリソースのアクティベート又は解放を同時に示すことになり、更にシグナリングオーバーヘッドを減少させ、且つ各キャリアの物理制御チャネルを独立して監視するために消費した電力を減少させる。
【手続補正４】
【補正対象書類名】明細書
【補正対象項目名】００４１
【補正方法】変更
【補正の内容】
【００４１】
本実施例では、前記制御情報を送信する制御チャネルに対応するキャリアと前記応答情報を送信するデータチャネルに対応するキャリアとは同じキャリアであってもよいし、異なるキャリアであってもよい。ここで、制御情報及び応答情報を送信するためのチャネルに対応するキャリアは、ＳＰＳリソースのアクティベート又は解放を行う複数のキャリアのうちの１つであってもよいし、前記複数のキャリア以外のキャリアであってもよい。
【手続補正５】
【補正対象書類名】明細書
【補正対象項目名】００６８
【補正方法】変更
【補正の内容】
【００６８】
送信された応答情報が第１応答情報である場合、１つのキャリアにおける制御情報及び１つのキャリアにおける応答情報を利用して、複数のキャリアのＳＰＳリソースのアクティベート又は解放に対する応答を一括して完了し、各キャリアに対してアクティベート又は解放の指示及び応答を１つずつ行うことに比べて、送受信されたシグナリングデータを更に減少させ、シグナリングオーバーヘッドを更に減少させ、ＵＥがシグナリングを送受信し及びシグナリングを復号するために消費したオーバーヘッドを更に減少させる。
【手続補正６】
【補正対象書類名】明細書
【補正対象項目名】００７０
【補正方法】変更
【補正の内容】
【００７０】
前記応答情報は通信する各層が伝送する情報、例えば無線リンク制御層（ＲＬＣ：Ｒａｄｉｏ  Ｌｉｎｋ  Ｃｏｎｔｒｏｌ）情報又は無線リソース制御（ＲＲＣ：Ｒａｄｉｏ  Ｒｅｓｏｕｒｃｅ  Ｃｏｎｔｒｏｌ）層情報であってもよい。本実施例では、媒体アクセス制御（ＭＡＣ：Ｍｅｄｉａ  Ａｃｃｅｓｓ  Ｃｏｎｔｒｏｌ）情報を利用して前記応答情報を搬送する。例えば、ＭＡＣ層のＭＡＣ制御ユニット（ＣＥ：Ｃｏｎｔｒｏｌ  Ｅｌｅｍｅｎｔ）を利用して前記応答情報を伝送する場合、前記ステップＳ１２０は少なくとも１つのキャリアにおいて負荷（ｐａｙｌｏａｄ）に前記応答情報が含まれるＭＡＣ  ＣＥを送信することを含んでもよい。前記ＭＡＣ  ＣＥが負荷を含み、前記負荷が前記ＭＡＣ  ＣＥの本文を構成する。前記負荷に応答情報が含まれる。具体的にどのように前記応答情報を搬送するかについては、以下に２つの代替方式を提供する。
【手続補正７】
【補正対象書類名】明細書
【補正対象項目名】００７７
【補正方法】変更
【補正の内容】
【００７７】
前記ステップＳ１２０は、
前記複数のキャリアのうちの各キャリアにおいて、対応するキャリアのＳＰＳリソースのアクティベート又は解放に対する応答情報が含まれるＭＡＣ  ＣＥをそれぞれ送信することを含んでもよい。
【手続補正８】
【補正対象書類名】明細書
【補正対象項目名】００８４
【補正方法】変更
【補正の内容】
【００８４】
図６に示すように、本実施例はＳＰＳの処理方法を提供し、第２通信機器に適用され、
１つの制御チャネルにおいて制御情報を送信し、前記制御情報は複数のキャリアがＳＰＳ構成された通信リソースであるＳＰＳリソースのアクティベート又は解放を行うことを示すステップＳ２１０と、
少なくとも１つのデータチャネルにおいて、１つ又は前記複数のキャリアのＳＰＳリソースのアクティベート又は解放に対する応答が含まれる応答情報を受信するステップＳ２２０と、を含む。
【手続補正９】
【補正対象書類名】明細書
【補正対象項目名】００８９
【補正方法】変更
【補正の内容】
【００８９】
選択肢として、前記ステップＳ２１０は１つのキャリアの制御チャネルを利用して制御情報を送信することを含んでもよく、前記制御チャネルが物理ダウンリンク制御チャネル又は物理サイドリンク制御チャネルを含み、前記ステップＳ２２０は１つのキャリアのデータチャネルにおいて前記複数のキャリアのＳＰＳリソースのアクティベート又は解放に対する応答を含む第１応答情報を受信し、又は、前記複数のキャリアのうちの各キャリアにおいて１つのキャリアのＳＰＳリソースのアクティベート又は解放に対する応答を含む第２応答情報を受信することを含んでもよい。例えば、ステップＳ２２０では、ｎ番目のキャリアにおいて第２応答情報を受信した場合、第ｎキャリアに含まれる第２応答情報が第ｎキャリアにおけるＳＰＳリソースのアクティベート又は解放に対する応答である。
【手続補正１０】
【補正対象書類名】明細書
【補正対象項目名】００９１
【補正方法】変更
【補正の内容】
【００９１】
いくつかの実施例では、前記方法は、更に前記複数のキャリアに対するＳＰＳリソースの構成情報を送信することを含み、前記構成情報は少なくとも前記複数のキャリアに対してＳＰＳスケジューリングを行う、第１通信機器が監視された前記制御情報をブラインド検出するための統一ＳＰＳスケジューリング識別子を含む。ここで、構成情報の送信によって、少なくとも第１通信機器が前記構成情報に基づき、各キャリアに構成されたＳＰＳリソースを把握することに役立つ。例えば、ブロードキャスト方式でセルのシステム情報をブロードキャストすることにより前記ＳＰＳリソースの構成情報を送信し、例えば、物理ダウンリンク制御チャネルによって前記ＳＰＳリソースの構成情報をブロードキャスト又はマルチキャストする。
【手続補正１１】
【補正対象書類名】明細書
【補正対象項目名】００９２
【補正方法】変更
【補正の内容】
【００９２】
いくつかの実施例では、送信されたＳＰＳリソースの構成情報に同じＳＰＳスケジューリング識別子が含まれる場合、前記ステップＳ２１０は制御チャネルにおいて複数のキャリアのＳＰＳリソースのアクティベート又は解放を示す１つの指示ビットを送信することを含んでもよく、この時、キャリアを示す必要がない。前記統一ＳＰＳスケジューリング識別子と前記複数のキャリアとが所定の対応関係を有するが、このような対応関係が前記ＳＰＳリソースの構成情報の中既に具現された。例えば、キャリアＡに対するＳＰＳリソースの構成情報に該統一ＳＰＳスケジューリング識別子が含まれる場合、ＵＥが該統一ＳＰＳスケジューリング識別子を利用して対応する制御チャネルをブラインド検出することに成功すれば、ＳＰＳリソースのアクティベート又は解放を示す１つ又は複数の指示ビットを抽出して、キャリアＡのＳＰＳリソースをアクティベート又は解放してもよい。
【手続補正１２】
【補正対象書類名】明細書
【補正対象項目名】０１０８
【補正方法】変更
【補正の内容】
【０１０８】
いくつかの実施例では、前記第１送信ユニット１２０は、前記複数のキャリアのうちの少なくとも１つのキャリアにおいて、負荷に前記応答情報が含まれるＭＡＣ  ＣＥを送信するように構成される。
【手続補正１３】
【補正対象書類名】明細書
【補正対象項目名】０１１４
【補正方法】変更
【補正の内容】
【０１１４】
図８に示すように、本実施例は通信機器を提供し、前記通信機器が第２通信機器であり、
１つの制御チャネルにおいて制御情報を送信し、前記制御情報は複数のキャリアが構成された準静的通信リソースであるＳＰＳリソースのアクティベート又は解放を行うことを示すように構成される第２送信ユニット２１０と、
少なくとも１つのキャリアにおいて、１つ又は複数のキャリアのＳＰＳリソースのアクティベート又は解放に対する応答が含まれる応答情報を受信するように構成される第２受信ユニット２２０と、を備える。
【手続補正１４】
【補正対象書類名】明細書
【補正対象項目名】０１２２
【補正方法】変更
【補正の内容】
【０１２２】
選択肢として、前記第２送信ユニット２１０は、更に、１つのキャリアの制御チャネルにおいて制御情報を送信する前に、複数のキャリアのＳＰＳリソースの構成情報を送信するように構成される。
【手続補正１５】
【補正対象書類名】明細書
【補正対象項目名】０１２３
【補正方法】変更
【補正の内容】
【０１２３】
いくつかの実施例では、前記第２送信ユニット２１０から送信されたＳＰＳリソースの構成情報には統一ＳＰＳスケジューリング識別子が含まれ、前記統一ＳＰＳスケジューリング識別子は第１通信機器が監視された前記制御情報をブラインド検出することに用いられる。この時、前記第２送信ユニット２１０から送信された制御情報には、前記複数のキャリアのＳＰＳリソースの統一された解放又は統一されたアクティベートを示す指示ビットが含まれ、該指示ビットが１つ又は複数のビットであってもよい。
【手続補正１６】
【補正対象書類名】明細書
【補正対象項目名】０１３０
【補正方法】変更
【補正の内容】
【０１３０】
本実施例はコンピュータ記憶媒体を提供し、前記コンピュータ記憶媒体にコンピュータプログラムが記憶され、前記コンピュータプログラムがプロセッサにより実行された後、第１通信機器に適用される上記いずれか１つ又は複数のＳＰＳの処理方法を実現し、又は、第２通信機器に適用される上記いずれか１つ又は複数のＳＰＳの処理方法を実現することができる。
【手続補正１７】
【補正対象書類名】明細書
【補正対象項目名】０１３８
【補正方法】変更
【補正の内容】
【０１３８】
該ＰＤＣＣＨの制御情報に１つの特別なＲＮＴＩ、例えば前記ＳＰＳ−ＲＮＴＩに対応するＳＰＳ−ＲＮＴＩ−ＡＬＬ（すなわち、上記統一されたＳＰＳ−ＲＮＴＩ−ＡＬＬの１つである）を構成してもよい。端末が該ＳＰＳ−ＲＮＴＩ−ＡＬＬによってＰＤＣＣＨの制御情報を復調する。該制御情報が該ＵＥに接続されるすべてのセルにおけるＳＰＳリソースのアクティベート又は解放を示し、又は、ＰＤＣＣＨのダウンリンク制御情報（ＤＣＩ）に１つの指示フィールド、例えば「オン／オフ」が含まれ、「オン」は該ＰＤＣＣＨの制御情報がすべてのセルのＳＰＳリソースのアクティベート又は解放に対して示すことを示し、「オフ」は該ＰＤＣＣＨがある（すなわち、本セル）セルにおけるＳＰＳリソースのアクティベート又は解放のみに対して示すことを示す。
【手続補正１８】
【補正対象書類名】明細書
【補正対象項目名】０１３９
【補正方法】変更
【補正の内容】
【０１３９】
該ＰＤＣＣＨの制御情報が１組のセルにおけるＳＰＳリソースに対してアクティベート又は解放動作を行う。該ＰＤＣＣＨに１つの特別なＲＮＴＩ、例えばＳＰＳ−ＲＮＴＩ−ＰＡＲＴＩＡＬを構成するとともに、ＰＤＣＣＨには該ＰＤＣＣＨが対応するどのセルのセル識別子（ＩＤ）を示す１つのフィールドを追加する。ＳＰＳリソースをアクティベート又は解放する命令がＬＴＥのＳＰＳリソースのアクティベート又は解放の制御情報のＨＡＲＱ情報におけるＮＤＩフィールドに含まれてもよい。
【手続補正１９】
【補正対象書類名】特許請求の範囲
【補正対象項目名】全文
【補正方法】変更
【補正の内容】
【特許請求の範囲】
【請求項１】
準静的スケジューリング（ＳＰＳ）の処理方法であって、
第１通信機器に適用され、
１つの制御チャネルの制御情報を監視し、前記制御情報は複数のキャリアにおける構成された準静的通信リソースであるＳＰＳリソースのアクティベート又は解放を示すことと、
少なくとも１つのデータチャネルにおいて応答情報を送信し、前記応答情報は１つ又は複数のＳＰＳリソースのアクティベート又は解放に対する応答を含むことと、を含む準静的スケジューリング（ＳＰＳ）の処理方法。
【請求項２】
１つの制御チャネルの制御情報を監視することは、
前記制御情報を取得するために、前記複数のキャリアのうちの１つのキャリアの制御チャネルを監視することを含み、前記制御チャネルは物理ダウンリンク制御チャネル又は物理サイドリンク制御チャネルを含み、
前記少なくとも１つのデータチャネルにおいて応答情報を送信することは、
前記複数のキャリアのうちの１つのキャリアを利用して前記第１応答情報を送信し、前記第１応答情報は前記複数のキャリアのＳＰＳリソースのアクティベート又は解放に対する応答を含み、
又は、
前記複数のキャリアのうちの各キャリアを利用して前記第２応答情報をそれぞれ送信し、１つのキャリアにおける前記第２応答情報は、前記第２応答情報が含まれるキャリアのＳＰＳリソースのアクティベート又は解放に対する応答を含むことを含むことを特徴とする請求項１に記載の方法。
【請求項３】
前記制御チャネルが物理ダウンリンク制御チャネルである場合、前記制御情報におけるハイブリッド自動再送要求（ＨＡＲＱ）の新データ指示子（ＮＤＩ）フィールドには、ＳＰＳリソースのアクティベート又は解放を行う命令が含まれる請求項１に記載の方法。
【請求項４】
前記方法は、更に、
前記複数のキャリアのＳＰＳリソースの構成情報を受信し、前記構成情報は少なくとも前記複数のキャリアに対してＳＰＳリソーススケジューリングする統一ＳＰＳスケジューリング識別子を含むことと、
前記統一ＳＰＳスケジューリング識別子を利用して監視された前記制御情報をブラインド検出することと、を含むことを特徴とする請求項１、２又は３に記載の方法。
【請求項５】
前記制御情報は、複数のキャリアのＳＰＳリソースの統一されたアクティベート又は統一された解放を示す少なくとも１つの指示ビットを含むことを特徴とする請求項４に記載の方法。
【請求項６】
１つの制御チャネルの制御情報を監視することは、
前記複数のキャリアのキャリア識別子が含まれる１つの制御チャネルの制御情報を監視し、
又は、
前記複数のキャリアに対応するビットマップが含まれる１つの制御チャネルの制御情報を監視することを含むことを特徴とする請求項１、２又は３に記載の方法。
【請求項７】
少なくとも１つのデータチャネルにおいて応答情報を送信することは、
前記複数のキャリアのうちの少なくとも１つのキャリアにおいて、前記応答情報が含まれる負荷ｐａｙｌｏａｄを含む媒体アクセス制御（ＭＡＣ）制御ユニット（ＣＥ）を送信することを含む請求項１、２又は３に記載の方法。
【請求項８】
前記複数のキャリアのうちの少なくとも１つのキャリアにおいて媒体アクセス制御（ＭＡＣ）制御ユニット（ＣＥ）を送信することは、
前記複数のキャリアのうちの１つのキャリアにおいて、負荷に第１応答情報が含まれるＭＡＣ  ＣＥを送信し、前記第１応答情報が前記複数のキャリアのＳＰＳリソースのアクティベート又は解放に対する応答を含むこと、
又は、
前記複数のキャリアのうちの各前記キャリアにおいて、負荷に第２応答情報が含まれるＭＡＣ  ＣＥをそれぞれ送信し、前記第２応答情報は、１つのキャリアにおける前記第２応答情報が、前記第２応答情報が含まれるキャリアのＳＰＳリソースのアクティベート又は解放に対する応答を含むことを含むこと、を含む請求項７に記載の方法。
【請求項９】
前記複数のキャリアのうちの１つのキャリアにおいて、負荷に第１応答情報が含まれるＭＡＣ  ＣＥを送信することは、
前記複数のキャリアのうちの１つのキャリアにおいて、負荷に前記複数のキャリアのキャリア識別子が含まれるＭＡＣ  ＣＥを送信すること、
前記複数のキャリアのうちの１つのキャリアにおいて、負荷に前記複数のキャリアに対応するビットマップが含まれるＭＡＣ  ＣＥを送信すること、のうちの少なくとも１つを含むことを特徴とする請求項８に記載の方法。
【請求項１０】
準静的スケジューリング（ＳＰＳ）の処理方法であって、
第２通信機器に適用され、
１つの制御チャネルにおいて制御情報を送信し、前記制御情報は複数のキャリアが構成された準静的通信リソースであるＳＰＳリソースのアクティベート又は解放を行うことを示すことと、
少なくとも１つのデータチャネルにおいて、１つ又は複数のキャリアのＳＰＳリソースのアクティベート又は解放に対する応答が含まれる応答情報を受信することと、を含む準静的スケジューリング（ＳＰＳ）の処理方法。
【請求項１１】
１つの制御チャネルにおいて制御情報を送信することは、
１つのキャリアの制御チャネルを利用して制御情報を送信することを含み、前記制御チャネルは物理ダウンリンク制御チャネル又は物理サイドリンク制御チャネルを含み、
前記少なくとも１つのデータチャネルにおいて応答情報を受信することは、
前記複数のキャリアのうちの１つのキャリアにおいて、前記複数のキャリアのＳＰＳリソースのアクティベート又は解放に対する応答を含む第１応答情報を受信し、
又は、
前記複数のキャリアのうちの各キャリアにおいて、１つのキャリアのＳＰＳリソースのアクティベート又は解放に対する応答を含む第２応答情報を受信することを含むことを特徴とする請求項１０に記載の方法。
【請求項１２】
通信機器であって、
前記通信機器が第１通信機器であり、
１つの制御チャネルの制御情報を監視し、前記制御情報は複数のキャリアにおける構成された準静的通信リソースであるＳＰＳリソースのアクティベート又は解放を示すように構成される監視ユニットと、
少なくとも１つのデータチャネルにおいて応答情報を送信し、前記応答情報は１つ又は複数のＳＰＳリソースのアクティベート又は解放に対する応答を含むように構成される第１送信ユニットと、を備える通信機器。
【請求項１３】
前記監視ユニットは、前記制御情報を取得するために前記複数のキャリアのうちの１つのキャリアの制御チャネルを監視し、前記制御チャネルが物理ダウンリンク制御チャネル又は物理サイドリンク制御チャネルを含むように構成され、
前記第１送信ユニットは、前記複数のキャリアのうちの１つのキャリアを利用して前記第１応答情報を送信し、前記第１応答情報が前記複数のキャリアのＳＰＳリソースのアクティベート又は解放に対する応答を含み、又は、前記複数のキャリアのうちの各キャリアを利用して前記第２応答情報をそれぞれ送信し、１つのキャリアにおける前記第２応答情報が、前記第２応答情報が含まれるキャリアのＳＰＳリソースのアクティベート又は解放に対する応答を含むように構成されることを特徴とする請求項１２に記載の通信機器。
【請求項１４】
前記通信機器は、更に、
前記複数のキャリアのＳＰＳリソースの構成情報を受信し、前記構成情報が少なくとも前記複数のキャリアに対してＳＰＳリソーススケジューリングする統一ＳＰＳスケジューリング識別子を含むように構成される第１受信ユニットを備え、
前記監視ユニットは、前記統一ＳＰＳスケジューリング識別子を利用して監視された前記制御情報をブラインド検出するように構成されることを特徴とする請求項１２に記載の通信機器。
【請求項１５】
前記第１送信ユニットは、前記複数のキャリアのうちの少なくとも１つのキャリアにおいて、前記応答情報が含まれる負荷ｐａｙｌｏａｄを含む媒体アクセス制御（ＭＡＣ）制御ユニット（ＣＥ）を送信するように構成される請求項１２〜１４のいずれか１項に記載の通信機器。
【手続補正２０】
【補正対象書類名】図面
【補正対象項目名】図５
【補正方法】変更
【補正の内容】
【図５】
2020533830.tif 000012
【国際調査報告】
2020533830.tif 000013
2020533830.tif 000014
2020533830.tif 000015
2020533830.tif 000016